(57)【要約】【課題】      釣竿を取り出す時容易に摘み上げられるように収納できる釣竿ケ−スを提供すること。【解決手段】  ケ−ス本体１内に釣竿収納部Ａと釣竿収納部Ｂを構成する仕切り板１０、１１と、ケ−ス本体１内の釣竿収納部Ａと釣竿収納部Ｂの間に設けられて釣竿の穂先側部品収納部Ｃと穂先側部品収納部Ｄと穂先側部品収納部Ｅを構成する仕切り板１２、１３とで形成されている。  釣竿収納部Ａと釣竿収納部Ｂの内側底部上にはそれぞれ多孔質の弾性部材７が落し込まれ、穂先側部品収納部Ｃ、Ｄ、Ｅの内側底部上にはそれぞれ多孔質の弾性部材８が落し込まれて各収納部に収納された釣竿１４と穂先側部品１５をそれぞれ開口から手で摘める程度突出させるように弾性力と長さが設定されている。【選択図】        図２
2005210974.tif 000002
【特許請求の範囲】
【請求項１】
上方に開口部を有するケ−ス本体の収納部の底部に多孔質の弾性部材を設けると共に、前記開口部を閉塞する蓋体を設けたことを特徴とする釣竿ケ−ス。
【請求項２】
弾性部材は、スポンジ体であることを特徴とする請求項１記載の釣竿ケ−ス。
【請求項３】
弾性部材は、発泡体であることを特徴とする請求項１記載の釣竿ケ−ス。
【発明の詳細な説明】
【技術分野】
【０００１】
本発明は、上方に開口部を有するケ−ス本体の収納部の底部に多孔質の弾性部材を設けた釣竿ケ−スの改良に関する。
【背景技術】
【０００２】
従来の釣竿ケ−スは、上方に開口を有する長い筒状体に形成されている。
釣竿の長さはそれぞれ異なるため、釣竿ケ−スは、ある程度の範囲の長さの釣竿が収納できるように余裕を持って長めに形成されることが多い。
釣竿は釣竿ケ−ス内に深く収納されていまい開口から摘み上げることが難しい。
したがってこのような釣竿ケ−スから釣竿を取り出すときは、釣竿ケ−スを開口が下になるように逆さにして収納した釣竿を滑り落とすように取り出すため、その勢いで飛び出した穂先部を破損したり、場合によってはそのまま釣竿を落として破損してしまうことがあった。
特許文献１には、複数本の釣り竿が収納できるように２個の収納部を有し、収納部ごと一本ずつ釣竿が収納できるようにした釣竿ケ−スが紹介されている。
【特許文献１】特開平２００１−１４８９８９号公報
【発明の開示】
【発明が解決しようとする課題】
【０００３】
解決しようとする問題点は、釣竿ケ−スを開口が下になるように逆さにして収納した釣竿を取り出すため、その勢いで飛び出した穂先部を破損したり、そのまま釣竿を落として破損してしまうことがあることである。
【０００４】
本発明の目的は前記欠点に鑑み、釣竿を取り出す時容易に摘み上げられるように収納できる釣竿ケ−スを提供することである。
【課題を解決するための手段】
【０００５】
本発明の請求項１は、上方に開口部を有するケ−ス本体の収納部の底部に多孔質の弾性部材を設けると共に、前記開口部を閉塞する蓋体を設けたことを要旨とするものである。
本発明の請求項２は、弾性部材は、スポンジ体であることを要旨とするものである。
本発明の請求項３は、弾性部材は、発泡体であることを要旨とするものである。
【発明の効果】
【０００６】
本発明により、蓋体を開けると開口から釣竿や穂先側部品などの収納物が突出するため、釣竿ケ−スを開口を上方にしたまま収納した釣竿や穂先側部品などの収納物を取り出すことができるため、穂先部を破損したり、釣竿を落として破損してしまうことが防止される。
【発明を実施するための最良の形態】
【０００７】
ケ−ス本体１と、ケ−ス本体１の外側の外装体２と、ケ−ス本体１の上端開口１ａのエッジを覆うフレ−ム部材３と、ケ−ス本体１の下端開口１ｂを閉塞する底部材４と、ケ−ス本体１内に釣竿収納部Ａと釣竿収納部Ｂを構成する仕切り板１０、１１と、ケ−ス本体１内の釣竿収納部Ａと釣竿収納部Ｂの間に設けられて釣竿の穂先側部品収納部Ｃと穂先側部品収納部Ｄと穂先側部品収納部Ｅを構成する仕切り板１２、１３と、フレ−ム部材３または外装体２の後側に一端が固定されて穂先側部品収納部Ｃ、Ｄ、Ｅの開口を覆う第１の蓋体５と、フレ−ム部材３または外装体２の後側に一端が固定されて収納部全体の上端開口を覆う第２の蓋体６とで形成されている。
第２の蓋体６は上端開口１ａの近傍に止着部にて折り曲げできるように取り付けられている。
【０００８】
釣竿収納部Ａと釣竿収納部Ｂの内側底部上にはそれぞれ多孔質の弾性部材７が落し込まれている。
穂先側部品収納部Ｃ、Ｄ、Ｅの内側底部上にはそれぞれ多孔質の弾性部材８が落し込まれている。
弾性部材７、８は、ゴムや合成樹脂のスポンジ体や発泡体（連続気泡発泡体、独立気泡発泡体）が使用されている。
弾性部材７は釣竿収納部Ａと釣竿収納部Ｂの中に収納された釣竿１４を開口から手で摘める程度突出させるように弾性力と長さが設定されている。
弾性部材８は穂先側部品収納部Ｃ、Ｄ、Ｅの中に収納された穂先側部品１５を開口から手で摘める程度突出させるように弾性力と長さが設定されている。
【実施例１】
【０００９】
以下、図示の一実施例によって本発明を説明すると、図１は第１と第２の蓋体が開けられた釣竿ケ−スの斜視図、図２は（ａ）は釣竿ケ−スの幅広い側の断面側面図で（ｂ）は幅狭い側の断面側面図、図３は釣竿ケ−スの幅広い側の一部拡大断面側面図、図４は第１の蓋体が閉じられ第２の蓋体が開けられた釣竿ケ−スの斜視図、図５は（ａ）は釣竿ケ−スの側面図で（ｂ）は釣竿ケ−スの斜視図である。
【００１０】
釣竿ケ−スは、ケ−ス本体１と、ケ−ス本体１の外側の外装体２と、ケ−ス本体１の上端開口１ａのエッジを覆うフレ−ム部材３と、ケ−ス本体１の下端開口１ｂを閉塞する底部材４と、ケ−ス本体１内に釣竿収納部Ａと釣竿収納部Ｂを構成する仕切り板１０、１１と、ケ−ス本体１内の釣竿収納部Ａと釣竿収納部Ｂの間に設けられて釣竿の穂先側部品収納部Ｃと穂先側部品収納部Ｄと穂先側部品収納部Ｅを構成する仕切り板１２、１３と、フレ−ム部材３または外装体２の後側に一端が固定されて穂先側部品収納部Ｃ、Ｄ、Ｅの開口を覆う第１の蓋体５と、フレ−ム部材３または外装体２の後側に一端が固定されて収納部全体の上端開口を覆う第２の蓋体６とで形成されている。
図では２個の釣竿収納部Ａ、Ｂとこの釣竿収納部Ａ、Ｂの間に釣竿収納部Ａ、Ｂの幅Ｗより小さい幅ｗに形成された３個の釣竿の穂先側部品収納部Ｃ、Ｄ、Ｅを有している。
ケ−ス本体１と仕切り板１０、１１、１２、１３は一体に形成してもよい。
釣竿の穂先側部品Ｃ、Ｄ、Ｅは例えば穂先またはこれを収納するケ−スや先端から２番目の釣竿部品やこれを収納するケ−スなどである。
【００１１】
ケ−ス本体１は釣竿１４と穂先側部品１５が収納できる長さを有する筒状体であり、外装体２より硬い材料の合成樹脂材料で形成され、長手方向の上端開口１ａと下端開口１ｂを有し、外装体２は柔軟性を有する材料の皮革や布や合成樹脂のシ−ト等で形成されてケ−ス本体１の外側を覆っている。
ケ−ス本体１の上端開口１ａにはそのエッジと外装体２の上端を覆うようにフレ−ム部材３が取り付けられており、ケ−ス本体１の上端開口１ａに釣竿１４と穂先側部品１５が接触したときでも傷つきが防止されると共にケ−ス本体１の上端開口１ａが補強されている。
フレ−ム部材３には外側３ａと夫々の開口３ｂ、３ｃ、３ｄ、３ｅ、３ｆ位置の内側にリブが形成されてケ−ス本体１の上端開口１ａの周壁端部と仕切り板１０、１１、１２、１３の上端周壁端部が嵌合固定されている。
外装体２の上端も外側３ａの内側に嵌合固定されている。
ケ−ス本体１の下端開口１ｂは底部材４で閉塞され、底部材４にも外側４ａと内側の仕切り板１０、１１、１２、１３の下端周壁端部の位置にリブが形成されて嵌合固定されている。
外装体２の下端も外側４ａの内側に嵌合固定されている。
【００１２】
釣竿収納部Ａと釣竿収納部Ｂの内側底部上にはそれぞれ多孔質の弾性部材７が落し込まれている。
穂先側部品収納部Ｃ、Ｄ、Ｅの内側底部上にはそれぞれ多孔質の弾性部材８が落し込まれている。
弾性部材７、８は、ゴムや合成樹脂のスポンジ体や発泡体（連続気泡発泡体、独立気泡発泡体）が使用されている。
特に独立気泡発泡体を用いるとへたりが少なく釣竿１４や穂先側部品１５の開口からの突出量が変わりにくく好ましい。
弾性部材７は釣竿収納部Ａと釣竿収納部Ｂの中に収納された釣竿１４を開口から手で摘める程度突出させるように弾性力と長さが設定されている。
弾性部材８は穂先側部品収納部Ｃ、Ｄ、Ｅの中に収納された穂先側部品１５を開口から手で摘める程度突出させるように弾性力と長さが設定されている。
【００１３】
第１の蓋体５の他端内側には、面ファスナからなる止め具１６が固定され、止め具１６の対応するフレ−ム部材３の前側の位置に止め具１６と係脱可能な面ファスナからなる止め具１７が固定され、第１の蓋体５で３個の釣竿の穂先側部品収納部Ｃ、Ｄ、Ｅの開口が開閉自在に覆われて止め具１６、１７が互いに止着されると閉塞状態が維持できるようになっている。
第２の蓋体６の他端外側には長さが調整可能なベルトに止め具１８が取り付けられ、止め具１８の対応する外装体２の前側の位置に止め具１８と係脱可能な止め具１９が固定され、第２の蓋体６で収納部Ａ、Ｂ、Ｃ、Ｄ、Ｅの開口全体を開閉自在に覆って止め具１８、１９が互いに止着されると閉塞状態が維持できるようになっている。
外装体２の外側の上下にはバンド２０、２１が取り付けられてバンド２０、２１に肩掛けベルト２２が取り付けられている。
外装体２の外側の上下に図示しないバンドを取り付けてこのバンドに手で握るハンドルを取り付けてもよい。
釣竿１４は例えば振り出し式釣竿や並継ぎ竿で、振り出し式釣竿の場合は下端には尻栓２３が取り付けられ、上端には上栓２４が取り付けられている。
【００１４】
釣竿ケ−スの中に釣竿１４と穂先側部品１５が収納されると、釣竿１４と穂先側部品１５の自重で夫々弾性部材７、８が圧縮されて沈むが、この時釣竿１４と穂先側部品１５の上端は手で摘める程度に突出するように弾性部材７、８の弾性力と長さが設定されている。
釣竿１４と穂先側部品１５の上端が手で押し込まれると、開口の下側に押し込むことが出来る。
穂先側部品収納部Ｃや穂先側部品収納部Ｄや穂先側部品収納部Ｅに穂先側部品１５が収納された後は第１の蓋体５で穂先側部品１５を穂先側部品収納部Ｃ、Ｄ、Ｅの内部へ押圧した状態で穂先側部品収納部Ｃ、Ｄ、Ｅの開口が開閉自在に覆われて閉塞状態が止め具１６、１７で維持される。
その後釣竿収納部Ａ、Ｂの開口と第１の蓋体５で閉じられた穂先側部品収納部Ｃ、Ｄ、Ｅが第２の蓋体６で開閉自在に覆われて止め具１８、１９で閉塞状態が維持される。
第１の蓋体５は省略してもよいが、この時は、蓋体６が釣竿１４や穂先側部品１５を収納部Ａ、Ｂ、Ｃ、Ｄ、Ｅの内部へ押圧した状態で閉じられる。
【００１５】
前記のように釣竿ケ−スが構成されると、蓋体６もしくは５を開けると開口１ａから釣竿１４や穂先側部品１５などの収納物が突出するため、釣竿ケ−スを開口を上方にしたまま収納した釣竿１４や穂先側部品１５などの収納物を取り出すことができるため、穂先部を破損したり、釣竿１４を落として破損してしまうことが防止される。
【産業上の利用可能性】
【００１６】
本発明は釣竿ケ−ス全般に利用できる。
【図面の簡単な説明】
【００１７】
【図１】第１と第２の蓋体が開けられた釣竿ケ−スの斜視図である。
【図２】（ａ）は釣竿ケ−スの幅広い側の断面側面図で（ｂ）は幅狭い側の断面側面図である。
【図３】釣竿ケ−スの幅広い側の一部拡大断面側面図である。
【図４】第１の蓋体が閉じられ第２の蓋体が開けられた釣竿ケ−スの斜視図である。
【図５】（ａ）は釣竿ケ−スの側面図で（ｂ）は釣竿ケ−スの斜視図である。
【符号の説明】
【００１８】
１  ケ−ス本体
１ａ  開口
６  蓋体
７、８  弾性部材
１４  釣竿
１５  穂先側部品
【図１】
2005210974.tif 000003
【図２】
2005210974.tif 000004
【図３】
2005210974.tif 000005
【図４】
2005210974.tif 000006
【図５】
2005210974.tif 000007